(57)【要約】【課題】埋設式視線誘導灯において、リード線と母線との結線部を確実に防水処理し、漏電の発生を防止する。【解決手段】発光面が路面に沿うように複数埋設され、母線２を介して入力される駆動信号に応じて、連動的に発光駆動される埋設式視線誘導灯１であって、発光体３を有する発光部本体４と、該発光部本体４の下方に設けられる下部ケース５とを備え、該下部ケース５は、発光部本体４から引き出されるリード線８と母線２との結線部を収容し、かつ、封止用の樹脂材１０が充填される凹部５ｄを有する。【選択図】図９
2007255041.tif 000002
【特許請求の範囲】
【請求項１】
発光面が路面に沿うように複数埋設され、母線を介して入力される駆動信号に応じて、連動的に発光駆動される埋設式視線誘導灯であって、発光体を有する発光部本体と、該発光部本体の下方に設けられる下部ケースとを備え、該下部ケースは、前記発光部本体から引き出されるリード線と前記母線との結線部を収容し、かつ、封止用の樹脂材が充填される凹部を有することを特徴とする埋設式視線誘導灯。
【請求項２】
前記下部ケース内に複数の補強リブを形成し、該補強リブ間の空間を前記凹部としたことを特徴とする請求項１記載の埋設式視線誘導灯。
【請求項３】
前記発光部本体のケース部分をダクタイル鋳鉄で形成したことを特徴とする請求項１又は２記載の埋設式視線誘導灯。
【請求項４】
前記発光部本体の上面エッジ部分に面取り状の傾斜面を形成したことを特徴とする請求項１〜３のいずれかに記載の埋設式視線誘導灯。
【請求項５】
発光面が路面に沿うように複数埋設され、母線を介して入力される駆動信号に応じて、連動的に発光駆動される埋設式視線誘導灯の結線部防水処理方法であって、前記埋設式視線誘導灯は、発光体を有する発光部本体と、該発光部本体の下方に設けられる下部ケースとを備え、前記発光部本体から引き出されるリード線を前記母線と結線した後、該結線部を前記下部ケースに形成される凹部に収容し、該凹部内に封止用の樹脂材を充填することを特徴とする埋設式視線誘導灯の結線部防水処理方法。
【発明の詳細な説明】
【技術分野】
【０００１】
本発明は、道路に埋設される埋設式視線誘導灯に関し、特に、発光面が路面に沿うように複数埋設され、母線を介して入力される駆動信号に応じて、連動的に発光駆動される埋設式視線誘導灯に関する。
【背景技術】
【０００２】
近来、この種の埋設式視線誘導灯を道路に埋設し、センターライン、停止線、横断歩道等の路面標識を形成することが提唱されている。つまり、埋設式視線誘導灯による路面標識は、白色等の塗料を用いて描いた路面標識に比して夜間等の視認性に優れ、また、路面に多少の積雪があっても視認可能であることから、積雪寒冷地における積極的な利用が検討されている。
【０００３】
しかしながら、従来の埋設式視線誘導灯は、その一部が路面から突出するように形成されているので、車両や歩行者にとっては障害物となり、また、グレーダを用いて除雪を行う積雪寒冷地では、除雪作業の邪魔になる許りでなく、グレーダに接触して埋設式視線誘導灯が破損する可能性があった。
【０００４】
そこで、路面から突出しないように形成された埋設式視線誘導灯も提案されている（例えば、特許文献１参照）。このような埋設式視線誘導灯によれば、車両や歩行者の障害物になる不都合を回避することができ、しかも、特許文献１に記載される埋設式視線誘導灯では、路面と同程度に摩耗する発光ブロックを備えるので、路面との面一性を長期に亘って維持できるという利点がある。
【特許文献１】特開平６−１０８４２６号公報
【発明の開示】
【発明が解決しようとする課題】
【０００５】
ところで、上記のような埋設式視線誘導灯を用いて、センターライン、停止線、横断歩道等の路面標識を形成する場合、複数の埋設式視線誘導灯を道路に埋設するだけでなく、これらの埋設式視線誘導灯を母線に接続し、該母線を介して入力される駆動信号に応じて連動的に発光駆動させる必要がある。例えば、特許文献１に記載される埋設式視線誘導灯では、発光ブロックから引き出されるリード線と母線との結線部を結線ボックスに収容するように構成され、また、リード線の引き込み孔等にパッキンを設けることにより、結線ボックスの防水性を確保し、水の侵入による漏電を防止している。
【０００６】
しかしながら、パッキンによる防水は、信頼性が低く、水の侵入を許す可能性がある。特に、積雪寒冷地に設置された埋設式視線誘導灯は、冬季の長い期間に亘り、雪や雪解け水との接触状態が続くので、僅かな水の侵入であっても、経時的に内部に水が溜まり、時限的に漏電が発生する可能性がある。
また、特許文献１に記載される埋設式視線誘導灯では、発光ブロックがコンクリートで形成されているため、割れ等が発生すると、路面の水が結線ボックスに導かれ、防水性が低下する可能性がある。
【課題を解決するための手段】
【０００７】
本発明は、上記の如き実情に鑑みこれらの課題を解決することを目的として創作されたものであって、発光面が路面に沿うように複数埋設され、母線を介して入力される駆動信号に応じて、連動的に発光駆動される埋設式視線誘導灯であって、発光体を有する発光部本体と、該発光部本体の下方に設けられる下部ケースとを備え、該下部ケースは、前記発光部本体から引き出されるリード線と前記母線との結線部を収容し、かつ、封止用の樹脂材が充填される凹部を有することを特徴とする。このようにすると、リード線と母線との結線部が樹脂材で封止されるので、たとえ下部ケースに水が侵入しても、漏電の発生を防止することができる。
また、前記下部ケース内に複数の補強リブを形成し、該補強リブ間の空間を前記凹部としたことを特徴とする。このようにすると、補強リブによって下部ケースの強度を高めることができるだけでなく、補強リブ間の空間を、結線部を収容する凹部として利用することにより、下部ケースの形状を簡略化し、その製造コストを低減できる。
また、前記発光部本体のケース部分をダクタイル鋳鉄で形成したことを特徴とする。このようにすると、発光部本体の破損を防止できるので、発光部本体の割れ等に起因する防水性の低下を回避できる。
また、前記発光部本体の上面エッジ部分に面取り状の傾斜面を形成したことを特徴とする。このようにすると、グレーダによるエッジ部分の引っ掛けを防止できるので、グレーダによる発光部本体の破損や掘り起こしによる防水性の低下も回避できる。
また、発光面が路面に沿うように複数埋設され、母線を介して入力される駆動信号に応じて、連動的に発光駆動される埋設式視線誘導灯の結線部防水処理方法であって、前記埋設式視線誘導灯は、発光体を有する発光部本体と、該発光部本体の下方に設けられる下部ケースとを備え、前記発光部本体から引き出されるリード線を前記母線と結線した後、該結線部を前記下部ケースに形成される凹部に収容し、該凹部内に封止用の樹脂材を充填することを特徴とする。このようにすると、リード線と母線との結線部が樹脂材で封止されるので、たとえ下部ケースに水が侵入しても、漏電の発生を防止することができる。
【発明を実施するための最良の形態】
【０００８】
［埋設式視線誘導灯］
次に、本発明の実施の形態について、図面に基づいて説明する。図１〜図３において、１は埋設式視線誘導灯であって、該埋設式視線誘導灯１は、発光面が路面に沿うように複数埋設され、母線２を介して入力される駆動信号に応じて、連動的に発光駆動されるものであり、発光体３を有する発光部本体４と、該発光部本体４の下方に設けられる下部ケース５とを備えて構成されている。
【０００９】
発光部本体４は、下方に開口した上部ケース６内に、複数の発光体３と定電流基板７を組み込んで構成される。上部ケース６は、マンホールの材料として知られるダクタイル鋳鉄を用いて形成されており、摩耗や割れに対して極めて良好な耐性を有している。これにより、発光部本体４は、スパイクタイヤ、チェーン、グレーダ等と接触しても、最小限の摩耗に抑えられるだけでなく、割れ等の破損も防止される。また、本実施形態の発光部本体４は、発光面である上面のエッジ部分に面取り状の傾斜面６ａを有しており、該傾斜面６ａによってグレーダによるエッジ部分の引っ掛けを防止している。尚、６ｂは発光部本体４の上面に複数形成されるスリップ防止用の凸部である。
【００１０】
本実施形態の発光体３は、発光ダイオードＬＥＤを透光性の樹脂材（例えば、エポキシ樹脂）で封止して形成されるもので、上部ケース６の上面に形成される複数の発光孔６ｃにケース内側から嵌め込まれ、各発光孔６ｃを介して路面発光を行う。図示は省略するが、各発光体３からはリード線が引き出されており、これらのリード線が定電流基板７に接続されている。定電流基板７は、電圧降下による輝度のばらつき等を防止する定電流回路を搭載しており、ここから母線２に接続するためのリード線８が引き出される。本実施形態では、発光体３及び定電流基板７を組み込んだ後、上部ケース６内に樹脂材（例えば、ウレタン樹脂）を充填し、発光体３及び定電流基板７を封止している。これにより、発光体３や定電流基板７における漏電が防止される。
【００１１】
図４に示すように、下部ケース５は、上方に開口した箱状であり、上部ケース６と同様にダクタイル鋳鉄を用いて形成されている。下部ケース５の下部には、設置固定用のフランジ部５ａが突出形成されており、該フランジ部５ａがボルト（図示せず）を介して設置面に固定される。また、下部ケース５の上部には、上部ケース固定用のフランジ部５ｂが突出形成されており、該フランジ部５ｂにボルト９を介して発光部本体４を固定することにより、下部ケース５の上部開口が覆蓋される。また、下部ケース５の長手方向両端面には、母線２を引き込むための引き込み孔５ｃが形成されている。ここから引き込まれた母線２は、発光部本体４の下面から引き出されるリード線８と結線される。
【００１２】
下部ケース５の内部には、リード線８と母線２の結線部を収容する凹部５ｄが形成されている。この凹部５ｄは、専用に形成してもよいが、下部ケース５に形成される複数の補強リブ５ｅを利用し、該補強リブ５ｅ間の空間を凹部５ｄとすることが好ましい。このようにすると、補強リブ５ｅによって下部ケース５の強度を高めることができるだけでなく、下部ケース５の形状を簡略化し、その製造コストを低減できる。凹部５ｄには、結線部を収容した後、封止用の樹脂材１０が充填される。樹脂材１０としては、２液常温硬化樹脂材である解体型ポリウレタンレンジを好適に用いることができる。この解体型ポリウレタンレンジは、２液混合後、短時間で硬化するので、施工が容易であり、しかも、解体が可能なので、埋設式視線誘導灯１の撤去や再設置にも容易に対応できる。
【００１３】
［埋設式視線誘導灯の結線部防水処理方法］
次に、埋設式視線誘導灯１の施工方法（結線部防水処理方法）について、図５〜図１０に沿って説明する。埋設式視線誘導灯１は、路面にセンターライン、停止線、横断歩道等の路面標識を形成すべく、所定間隔を存して道路に埋設される。例えば、既設の舗装道路に埋設式視線誘導灯１を埋設する場合は、各埋設式視線誘導灯１の埋設位置を繋ぐように路面を連続的に掘削した後、その掘削溝内に設置床を形成し、ここに埋設式視線誘導灯１の下部ケース５を設置する。また、下部ケース５の引き込み孔５ｃに電線管１１を接続すると共に、電線管１１を介して下部ケース５内に母線２を引き込み、その後、引き込み孔５ｃを工業用粘土（シールパテ）等のシール材１２でケース内側から塞ぐ（図５参照）。
【００１４】
次に、下部ケース５内に引き込んだ母線２と、発光部本体４から引き出されるリード線８を結線する。結線部は、リングスリーブ（圧着スリーブ）１３を用いて確実に結線した上（図６参照）、融着テープ１４を用いて確実に絶縁することが好ましい（図７参照）。母線２とリード線８の結線作業が終了したら、結線部分を前述した凹部５ｄに収容する。このとき、補強リブ５ｅの上端部に形成される溝ｆに母線２を係合させると、結線部を納まり良く凹部５ｄの中央部に収容できる。結線部分を凹部５ｄに収容したら、凹部５ｄ内に樹脂材１０を充填し、結線部分を封止する（図８及び図９参照）。樹脂材１０が固まったら、下部ケース５の開口部周縁に形成されるシール溝５ｇにシーリング材を塗布した後、ここに発光部本体４を重ね、ボルト９で両者を固定する（図１０参照）。その後、掘削溝をアスファルトで埋めると共に、該アスファルトを転圧するが、このとき、発光部本体４の上面と路面とが略面一になるように路面のレベル調整を行う。以上で埋設式視線誘導灯１の設置工程が終了する。
【００１５】
叙述の如く構成された本実施形態によれば、発光面が路面に沿うように複数埋設され、母線２を介して入力される駆動信号に応じて、連動的に発光駆動される埋設式視線誘導灯１であって、発光体３を有する発光部本体４と、該発光部本体４の下方に設けられる下部ケース５とを備え、該下部ケース５は、発光部本体４から引き出されるリード線８と母線２との結線部を収容し、かつ、封止用の樹脂材１０が充填される凹部５ｄを有するので、リード線８と母線２との結線部を樹脂材１０で封止することができ、その結果、たとえ下部ケース５に水が侵入しても、漏電の発生を防止することができる。
【００１６】
また、下部ケース５内に複数の補強リブ５ｅを形成し、該補強リブ５ｅ間の空間を凹部５ｄとしたので、補強リブ５ｅによって下部ケース５の強度を高めることができるだけでなく、補強リブ５ｅ間の空間を、結線部を収容する凹部５ｄとして利用することにより、下部ケース５の形状を簡略化し、その製造コストを低減できる。
【００１７】
また、発光部本体４のケース部分（上部ケース６）をダクタイル鋳鉄で形成したので、発光部本体４の破損を防止し、発光部本体４の割れ等に起因する防水性の低下を回避できる。
また、発光部本体４の上面エッジ部分に面取り状の傾斜面６ａを形成したので、グレーダによるエッジ部分の引っ掛けを防止し、グレーダによる発光部本体４の破損や掘り起こしによる防水性の低下も回避できる。
【図面の簡単な説明】
【００１８】
【図１】（Ａ）は埋設式視線誘導灯の平面図、（Ｂ）は右側面図（左側面図）である。
【図２】（Ａ）は埋設式視線誘導灯の底面図、（Ｂ）は正面図（背面図）である。
【図３】（Ａ）は埋設式視線誘導灯のＸ−Ｘ断面図、（Ｂ）はＹ−Ｙ断面図である。
【図４】（Ａ）は下部ケースの平面図、（Ｂ）は一部切欠き側面図である。
【図５】埋設式視線誘導灯の施工手順（１）を示す斜視図である。
【図６】埋設式視線誘導灯の施工手順（２）を示す斜視図である。
【図７】埋設式視線誘導灯の施工手順（３）を示す斜視図である。
【図８】埋設式視線誘導灯の施工手順（４）を示す斜視図である。
【図９】埋設式視線誘導灯の施工手順（４）を示す要部拡大斜視図である。
【図１０】埋設式視線誘導灯の施工手順（５）を示す斜視図である。
【符号の説明】
【００１９】
１    埋設式視線誘導灯
２    母線
３    発光体
４    発光部本体
５    下部ケース
５ｄ  凹部
５ｅ  補強リブ
６    上部ケース
６ａ  傾斜面
７    定電流基板
８    リード線
１０  樹脂材
１１  電線管
【図１】
2007255041.tif 000003
【図２】
2007255041.tif 000004
【図３】
2007255041.tif 000005
【図４】
2007255041.tif 000006
【図５】
2007255041.tif 000007
【図６】
2007255041.tif 000008
【図７】
2007255041.tif 000009
【図８】
2007255041.tif 000010
【図９】
2007255041.tif 000011
【図１０】
2007255041.tif 000012